(57)【特許請求の範囲】
【請求項１】
ディスクロータの一側部に配置される作用部と、前記ディスクロータの他側部に配置される反作用部とをブリッジ部で連結してキャリパボディを形成し、前記作用部にシリンダ孔を、前記反作用部に反力爪をそれぞれ備え、前記作用部を、ディスクロータの一側部で車体に固設されるキャリパブラケットに、ディスク回転方向両側部に配置される第１スライドピンと第２スライドピンとを介してディスク軸方向にスライド可能に支持すると共に、前記ディスクロータを挟んで作用部側と反作用部側とに摩擦パッドをそれぞれ配置したピンスライド型車両用ディスクブレーキであって、作用部側の前記摩擦パッドは、制動解除時におけるピストンシールの復元力で前記ピストンが後退することに伴って前記ディスクロータの一側面から強制的に引き戻されるべくパッドホールドスプリングにて前記ピストンに連結され、前記キャリパボディは、前記第１スライドピンを外した状態で、前記キャリパブラケットに対して前記第２スライドピンを中心に作用部側の摩擦パッドと共に回動可能に形成され、前記キャリパブラケットの前記第１スライドピン側には、作用部側の前記摩擦パッドから第１スライドピン側に向かう制動トルクを受ける第１トルク受け面と、第２スライドピン側に向かう制動トルクを受ける第２トルク受け面とが形成され、前記第１トルク受け面は前記第２トルク受け面よりもディスク半径方向外側に配置され、ディスク半径方向における前記第２スライドピンの位置は、前記第１トルク受け面と前記第２トルク受け面との間に配置されることを特徴とするピンスライド型車両用ディスクブレーキ。
【請求項２】
前記キャリパボディは、前記第１スライドピンを外した状態で、前記キャリパブラケットに対して前記第２スライドピンを中心に反作用部側の摩擦パッドと共に回動可能に形成され、前記キャリパブラケットの前記第１スライドピン側には、ディスク半径方向における位置が、前記第２スライドピンと同一位置か、或いは、ディスク半径方向外側に配置され、反作用部側の前記摩擦パッドから前記第１スライドピン側に向かう制動トルクを受ける第３トルク受け面が形成されていることを特徴とする請求項１記載のピンスライド型車両用ディスクブレーキ。
【請求項３】
前記第２スライドピンは、前記キャリパブラケットに固定されると共に、前記ディスクロータの外周縁よりもディスク半径方向内側に配置され、前記キャリパボディは、前記第２スライドピンを挿通するピン孔を先端部に備えたピン支持腕を、前記作用部と前記ブリッジとが連続する連続部から、ディスク半径方向内側に傾斜して前記ディスクロータ外周に沿って延出していることを特徴とする請求項１又は２記載のピンスライド型車両用ディスクブレーキ。
【請求項４】
前記キャリパボディは、前記第２スライドピンを中心として前記キャリパボディが前記ディスクロータに当接するまで回動させたときに、作用部側の前記摩擦パッドが前記ディスクロータの外周縁よりもディスク半径方向外側に位置する状態まで回動することを特徴とする請求項１乃至３のいずれか１項記載のピンスライド型車両用ディスクブレーキ。
【請求項５】
前記第１トルク受け面のディスク半径方向外側の端部に、外側が前記第１スライドピン側に傾斜したガイド面を設けたことを特徴とする請求項１乃至４のいずれか１項記載のピンスライド型車両用ディスクブレーキ。
【請求項６】
前記第２トルク受け面は、ディスク周方向において、前記第１トルク受け面と前記シリンダ孔との間に配置されることを特徴とする請求項１乃至５のいずれか１項記載のピンスライド型車両用ディスクブレーキ。
【請求項７】
前記反作用部は、車両前進走行時におけるディスク回出側と回入側とにそれぞれ配置される一対の反力爪を有し、該一対の反力爪に反作用部側の前記摩擦パッドをパッドスプリングにて連結し、該パッドスプリングは、反作用部側の前記摩擦パッドの裏板に取り付けられる取付部と、該取付部からディスク回出側とディスク回入側とにそれぞれ突出し、前記一対の反力爪の反ディスクロータ側面にそれぞれ当接し、反作用部側の前記摩擦パッドを反力爪方向に引き寄せる一対の組付け片と、各組付け片の先端側に設けられ、ディスク半径方向外側に突出すると共に、各反力爪の反ディスクロータ側面に形成した当接部に弾接する弾発片とを備えていることを特徴とする請求項１乃至６のいずれか１項記載の車両用ディスクブレーキ。
【請求項８】
前記パッドホールドスプリングは、作用部側の前記摩擦パッドの裏板に固着される取付基部と、該取付基部から突出する爪片とを備え、該爪片の先端側は、前記ピストンの内周壁に向けて漸次拡開しながらピストン底部側に延出して前記内周壁に当接する係合部が形成され、該係合部よりも先端部は内側に向けて折曲され、前記ピストンは、開口側の内周壁に環状突部が形成され、作用部側の前記摩擦パッドの裏板に前記取付基部を固着して前記ピストンの開口側からピストンの内側に挿入された前記爪片の前記係合部を前記環状突部を乗り越えて該環状突部のピストン底部側に係合したことを特徴とする請求項１乃至７のいずれか１項記載のピンスライド型車両用ディスクブレーキ。
【請求項９】
作用部側の前記摩擦パッドの裏板の背面のピストン中心軸と対応する位置よりもディスク回入側に、前記パッドホールドスプリングをかしめて固着するかしめ用突部が形成され、該かしめ用突部は、ディスク半径方向内外に２つの頂点が並び、該２つの頂点よりもディスク回入側に１つの頂点が配置される三角形状に形成され、前記爪片として、前記取付基部からＴ字状に突出する同一長さで、かつ同一形状の２つの第１爪片と１つの第２爪片とを備え、前記２つの第１爪片は、前記取付基部からディスク半径方向外側と内側とにそれぞれ突出し、前記１つの第２爪片は、車両前進走行時おけるディスク回入側に突出し、前記取付基部に、前記かしめ用突部に嵌着可能な三角形状のかしめ用穴部が穿設され、三角形状の２つの頂点が前記２つの第１爪片の方向を向き、残りの１つの頂点が前記１つの第２爪片の方向を向いていることを特徴とする請求項８記載のピンスライド型車両用ディスクブレーキ。
【発明の詳細な説明】
【技術分野】
【０００１】
本発明は、自動車や自動二輪車等の走行車両に搭載されるピンスライド型車両用ディスクブレーキに係り、詳しくは、車体に固設されるキャリパブラケットに、一対のスライドピンを介してキャリパボディをディスク軸方向にスライド可能に支持するピンスライド型車両用ディスクブレーキに関する。
【背景技術】
【０００２】
従来、ピンスライド型車両用ディスクブレーキでは、摩擦パッドを交換やメンテナンスで着脱する場合に、一対のスライドピンのいずれか一方を外し、他方のスライドピンを支点にキャリパボディをディスクロータの外側に回動させることにより、キャリパボディをキャリパブラケットから取り外すことなく摩擦パッドを着脱できるようにしたものがあり、さらに、作用部側の摩擦パッドとピストンとをパッドホールドスプリングで連結し、非制動時にピストンの後退に伴って摩擦パッドをディスクロータの側面から引き戻すようにしたものがあった（例えば、特許文献１参照。）。
【先行技術文献】
【特許文献】
【０００３】
【特許文献１】特開２００１−３３６５５３号公報
【発明の概要】
【発明が解決しようとする課題】
【０００４】
しかし、上述のものでは、作用部側の摩擦パッドとピストンとがパッドホールドスプリングで連結されていることから、摩擦パッドを交換する際には、スライドピンのいずれか一方を外し、他方のスライドピンを支点にキャリパボディをディスクロータの外側に回動させる前に、作用部側の摩擦パッドとピストンとの連結を解除しなければならないことから、摩擦パッドの交換に手間が掛かっていた。
【０００５】
そこで本発明は、摩擦パッドの引き摺りを防止すると共に、摩擦パッドの交換を簡単に行うことができるピンスライド型車両用ディスクブレーキを提供することを目的としている。
【課題を解決するための手段】
【０００６】
上記目的を達成するため、本発明のピンスライド型車両用ディスクブレーキは、ディスクロータの一側部に配置される作用部と、前記ディスクロータの他側部に配置される反作用部とをブリッジ部で連結してキャリパボディを形成し、前記作用部にシリンダ孔を、前記反作用部に反力爪をそれぞれ備え、前記作用部を、ディスクロータの一側部で車体に固設されるキャリパブラケットに、ディスク回転方向両側部に配置される第１スライドピンと第２スライドピンとを介してディスク軸方向にスライド可能に支持すると共に、前記ディスクロータを挟んで作用部側と反作用部側とに摩擦パッドをそれぞれ配置したピンスライド型車両用ディスクブレーキであって、作用部側の前記摩擦パッドは、制動解除時におけるピストンシールの復元力で前記ピストンが後退することに伴って前記ディスクロータの一側面から強制的に引き戻されるべくパッドホールドスプリングにて前記ピストンに連結され、前記キャリパボディは、前記第１スライドピンを外した状態で、前記キャリパブラケットに対して前記第２スライドピンを中心に作用部側の摩擦パッドと共に回動可能に形成され、前記キャリパブラケットの前記第１スライドピン側には、作用部側の前記摩擦パッドから第１スライドピン側に向かう制動トルクを受ける第１トルク受け面と、第２スライドピン側に向かう制動トルクを受ける第２トルク受け面とが形成され、前記第１トルク受け面は前記第２トルク受け面よりもディスク半径方向外側に配置され、ディスク半径方向における前記第２スライドピンの位置は、前記第１トルク受け面と前記第２トルク受け面との間に配置されることを特徴としている。
【０００７】
また、前記キャリパボディは、前記第１スライドピンを外した状態で、前記キャリパブラケットに対して前記第２スライドピンを中心に反作用部側の摩擦パッドと共に回動可能に形成され、前記キャリパブラケットの前記第１スライドピン側には、ディスク半径方向における位置が、前記第２スライドピンと同一位置か、或いは、ディスク半径方向外側に配置され、反作用部側の前記摩擦パッドから前記第１スライドピン側に向かう制動トルクを受ける第３トルク受け面が形成されていることを特徴としている。さらに、前記第２スライドピンは、前記キャリパブラケットに固定されると共に、前記ディスクロータの外周縁よりもディスク半径方向内側に配置され、前記キャリパボディは、前記第２スライドピンを挿通するピン孔を先端部に備えたピン支持腕を、前記作用部と前記ブリッジとが連続する連続部から、ディスク半径方向内側に傾斜して前記ディスクロータ外周に沿って延出することもできる。また、前記キャリパボディは、前記第２スライドピンを中心として前記キャリパボディが前記ディスクロータに当接するまで回動させたときに、作用部側の前記摩擦パッドが前記ディスクロータの外周縁よりもディスク半径方向外側に位置する状態まで回動すると好適である。さらに、前記第１トルク受け面のディスク半径方向外側の端部に、外側が前記第１スライドピン側に傾斜したガイド面を設けることもできる。また、前記第２トルク受け面は、ディスク周方向において、前記第１トルク受け面と前記シリンダ孔との間に配置されると良い。さらに、前記反作用部は、車両前進走行時におけるディスク回出側と回入側とにそれぞれ配置される一対の反力爪を有し、該一対の反力爪に反作用部側の前記摩擦パッドをパッドスプリングにて連結し、該パッドスプリングは、反作用部側の前記摩擦パッドの裏板に取り付けられる取付部と、該取付部からディスク回出側とディスク回入側とにそれぞれ突出し、前記一対の反力爪の反ディスクロータ側面にそれぞれ当接し、反作用部側の前記摩擦パッドを反力爪方向に引き寄せる一対の組付け片と、各組付け片の先端側に設けられ、ディスク半径方向外側に突出すると共に、各反力爪の反ディスクロータ側面に形成した当接部に弾接する弾発片とを備えていると、また、前記パッドホールドスプリングは、作用部側の前記摩擦パッドの裏板に固着される取付基部と、該取付基部から突出する爪片とを備え、該爪片の先端側は、前記ピストンの内周壁に向けて漸次拡開しながらピストン底部側に延出して前記内周壁に当接する係合部が形成され、該係合部よりも先端部は内側に向けて折曲され、前記ピストンは、開口側の内周壁に環状突部が形成され、作用部側の前記摩擦パッドの裏板に前記取付基部を固着して前記ピストンの開口側からピストンの内側に挿入された前記爪片の前記係合部を前記環状突部を乗り越えて該環状突部のピストン底部側に係合していることが良く、さらに、作用部側の前記摩擦パッドの裏板の背面のピストン中心軸と対応する位置よりもディスク回入側に、前記パッドホールドスプリングをかしめて固着するかしめ用突部が形成され、該かしめ用突部は、ディスク半径方向内外に２つの頂点が並び、該２つの頂点よりもディスク回入側に１つの頂点が配置される三角形状に形成され、前記爪片として、前記取付基部からＴ字状に突出する同一長さで、かつ同一形状の２つの第１爪片と１つの第２爪片とを備え、前記２つの第１爪片は、前記取付基部からディスク半径方向外側と内側とにそれぞれ突出し、前記１つの第２爪片は、車両前進走行時おけるディスク回入側に突出し、前記取付基部に、前記かしめ用突部に嵌着可能な三角形状のかしめ用穴部が穿設され、三角形状の２つの頂点が前記２つの第１爪片の方向を向き、残りの１つの頂点が前記１つの第２爪片の方向を向いていることが好適である。
【発明の効果】
【０００８】
本発明のピンスライド型車両用ディスクブレーキによれば、作用部側の摩擦パッドとピストンとをパッドホールドスプリングによって連結していることから、摩擦パッドの引き摺りを防止できると共に、摩擦パッドを交換する際には、キャリパボディと共に摩擦パッドを第２スライドピンを中心に、キャリパブラケットに対して回動させることにより、摩擦パッドを簡単に交換することができる。また、前記摩擦パッドから制動トルクを受ける第１トルク受け面と第２トルク受け面とをキャリパブラケットに設けたことから、該キャリパブラケットで制動トルクを確実に受けることができる。
【０００９】
さらに、キャリパブラケットの第１スライドピン側には、ディスク半径方向における位置が、第２スライドピンと同一位置か、或いは、ディスク半径方向外側に配置され、反作用部側の摩擦パッドから第１スライドピン側に向かう制動トルクを受ける第３トルク受け面が形成されていることにより、反作用部側の摩擦パッドからの制動トルクをキャリパブラケットに設けた第３トルク受け面で受ける構造とした場合でも、キャリパボディと共に反作用部側の摩擦パッドも第２スライドピンを中心に、キャリパブラケットに対して回動させることができる。
【００１０】
また、第２スライドピンは、キャリパブラケットに固定されると共に、前記ディスクロータの外周縁よりもディスク内周側に配置され、前記キャリパボディは、前記第２スライドピンを挿通するピン孔を先端部に備えたピン支持腕が、前記作用部とブリッジとが連続する連続部から、ディスク半径方向内側に向けて延出しているので、ピン支持腕は作用部とブリッジ部の肉厚を利用して形成され、ピン支持腕を肉盛りしなくても剛性を確保できる。さらに、第２スライドピンがディスクロータの外周縁よりもディスク内周側に配置されていることから、ピン支持腕がディスク半径方向外側に突出することがなく、キャリパボディの小型化を図ることができ、また、キャリパブラケットの車体取付部から第２スライドピンまでの距離を短くすることができることから、キャリパブラケットの小型軽量化も図ることができる。
【００１１】
また、キャリパボディは、第２スライドピンを中心として回動させたときに、作用部側の摩擦パッドがディスクロータの外周縁よりもディスク半径方向外側に位置する状態まで回動することにより、摩擦パッドを交換する際に、摩擦パッドがディスクロータと干渉することがなく、摩擦パッドを容易に着脱することができる。
【００１２】
さらに、前記第１トルク受け面のディスク半径方向外側の端部に、外側が第１スライドピン側に傾斜するガイド面を設けたことにより、キャリパボディ及び摩擦パッドを第２スライドピンを中心に、キャリパブラケットに対して回動させる際に、ガイド面によって、摩擦パッドを第１トルク受け面にガイドすることができる。
【００１３】
また、第２トルク受け面は、前記第１トルク受け面と前記シリンダ孔とのディスク周方向中間位置に配置されることにより、キャリパブラケットの第２スライドピン側にトルク受部を設ける必要がなく、キャリパブラケットの車体取付部から第２スライドピンまでの距離を短くすることができ、キャリパブラケットの小型軽量化を図ることができる。
【図面の簡単な説明】
【００１４】
【図１】本発明の第１形態例を示すピンスライド型ディスクブレーキの正面図である。
【図２】同じく平面図である。
【図３】同じく摩擦パッド交換時の正面図である。
【図４】同じく摩擦パッド交換時の背面図である。
【図５】同じく平面断面図である。
【図６】図１のVI-VI断面図である。
【図７】図６のVII−VII断面図である。
【図８】パッドホールドスプリングの一例を示す斜視図である。
【図９】摩擦パッドとブラケットとの関係を示す説明図である。
【図１０】ピンスライド型ディスクブレーキの背面図である。
【図１１】同じく底面図である。
【図１２】図１０のXII-XII断面図である。
【図１３】図１２の要部拡大図である。
【図１４】パッドスプリングの一例を示す斜視図である。
【図１５】他形状のパッドスプリングを使用したピンスライド型ディスクブレーキの背面図である。
【図１６】同じく底面図である。
【図１７】図１５のXVII-XVII断面図である。
【図１８】同じくパッドスプリングの斜視図である。
【発明を実施するための形態】
【００１５】
図１乃至図１４は本発明のピンスライド型車両用ディスクブレーキの第１形態例を示す図で、図中の矢印Ａは、車両前進走行時のディスクロータの回転方向を示し、以下の説明で用いるディスク回入側と回出側とは、車両前進走行時の場合とする。
【００１６】
本形態例のディスクブレーキ１は、自動車用のディスクブレーキで、ディスクロータ２の一側部に配置される作用部３ａと、前記ディスクロータ２の他側部に配置される反作用部３ｂとをブリッジ部３ｃで連結してキャリパボディ３を形成し、該キャリパボディ３を、ディスクロータ２の一側部で車体に固設されるキャリパブラケット４に、ディスク回転方向両側部に配置される第１スライドピン５と第２スライドピン６とを介してディスク軸方向にスライド可能に支持し、前記作用部３ａと反作用部３ｂとの間にディスクロータ２を挟んで一対の摩擦パッド７，８を対向配置している。
【００１７】
キャリパボディ３は、鋳造によって形成されるもので、作用部３ａのディスク回入側と回出側とに、ピン支持腕３ｄ，３ｅが突設されている。ディスク回出側のピン支持腕３ｅは、作用部３ａからディスク回出方向に延出し、先端に第１スライドピン５を取り付ける取付ボルト９を挿通させるボルト孔３ｆが形成されている。ディスク回入側のピン支持腕３ｄは、作用部３ａとブリッジ３ｃとが連続する連続部３ｇから、ディスク半径方向内側に傾斜してディスクロータ外周に沿うように延出し、先端に第２スライドピン６を挿通させるピン挿通孔３ｈが形成されている。また、作用部３ａには、シリンダ孔３ｉが形成され、シリンダ孔３ｉには、コップ状に形成されたピストン１０が開口部をディスクロータ側に向けて、移動可能に内挿されている。シリンダ孔３ｉの開口側内周部には、ダストシール１１の基端側を装着するダストシール装着溝３ｊが形成されると共に、該ダストシール装着溝３ｊよりもシリンダ孔底部側にピストンシール１２を嵌着するピストンシール装着溝３ｋが形成されている。また、シリンダ孔３ｉとピストン１０の底部間には液圧室１３が画成され、シリンダ孔３ｉの底壁には、液圧室１３に連通するユニオン孔３ｍとブリーダ孔（図示せず）とが開口している。
【００１８】
ダストシール１１は基部１１ａと、先端部１１ｂと、該先端部１１ｂと基部１１ａとの間に設けられる蛇腹部１１ｃとを備え、ダストシール装着溝３ｊは、シリンダ孔底部側にダストシール１１の基部１１ａを嵌着する基部嵌着溝３ｎと、シリンダ孔開口部側にダストシール１１の蛇腹部１１ｃを収容する蛇腹部収容部３ｐとを備えている。
【００１９】
反作用部３ｂは、シリンダ孔３ｉ加工用の間隙部３ｑを挟んだディスク回入側とディスク回出側とに、一対の反力爪３ｒ，３ｒがディスク半径方向内側へ向けて並設され、該反力爪３ｒ，３ｒに円形の貫通孔３ｓ，３ｓがそれぞれ貫通形成されている。さらに、反力爪３ｒ，３ｒの反ディスクロータ側の前記間隙部３ｑ側には、略矩形の凹部３ｔ，３ｔが形成され、該凹部３ｔ，３ｔ内に前記貫通孔３ｓ，３ｓが配置されている。
【００２０】
キャリパブラケット４は、車体に固設される本体部４ａと、本体部４ａのディスク回出側端部から、ブリッジ部３ｃのディスク回出側に突出し、ディスクロータ２の外周を跨ぐキャリパ支持腕４ｂと、本体部４ａのディスク回入側に形成されるスライドピン取付部４ｃとを備えている。キャリパ支持腕４ｂは、本体部４ａからディスクロータ２の外周縁よりも外側に突出し、前記第１スライドピン５を挿通するピン挿通孔４ｄを内部に備えると共に、摩擦パッド側外面が平面状に形成され、車両前進時に作用部側の摩擦パッド７からトルクを受ける第１トルク受け面４ｅと、反作用部側の摩擦パッド８からトルクを受ける第３トルク受け面４ｆとなっている。また、第１トルク受け面４ｅと第３トルク受け面４ｆのディスク半径方向外側には、外側が第１スライドピン５側に傾斜するガイド面４ｇが形成されている。スライドピン取付部４ｃは、本体部４ａからディスクロータ２の外周縁よりもディスク内周側に突出し、第２スライドピン６を螺着する雌ねじ孔４ｈが形成されている。
【００２１】
本体部４ａは、ディスク回入側と回出側の両端部に、車体取付ボルトを挿通するボルト挿通孔４ｉ，４ｉを備え、ディスク回入側のボルト挿通孔４ｉと雌ねじ孔４ｈとは近接した位置に配置される。また、本体部４ａのディスク外周側には、作用部側の摩擦パッド７のディスク内周側面を支承するパッド受け面４ｋ，４ｋがそれぞれ形成され、さらに、ディスク回出側のパッド受け面４ｋのディスク回出側には、車両後退時に作用部側の摩擦パッド７からトルクを受ける第２トルク受け面４ｍが、パッド受け面４ｋに対して直交すると共に、前記第１トルク受け面４ｅに対して平行で、且つ、ディスクロータ半径方向内側に形成されている。
【００２２】
ピストン１０は、開口側の内周壁に、内周側に突出する環状突部１０ａが形成され、該環状突部１０ａからピストン開口端に向けて漸次拡径する開口側円錐面１０ｂと、環状突部１０ａからピストン底部側に向けて漸次拡径してピストン内周壁に連続する底部側円錐面１０ｃとが形成されている。さらに、該環状突部１０ａの外周部には、前記ダストシール１１の先端部を嵌着させる先端部嵌着溝１０ｄが形成されている。
【００２３】
摩擦パッド７，８は、ディスクロータ２の側面に摺接するライニング７ａ，８ａと、該ライニング７ａ，８ａを貼着した裏板７ｂ，８ｂとから形成されている。作用部側の摩擦パッド７の裏板７ｂは、ディスク回出側に、キャリパブラケット４の第１トルク受け面４ｅに当接する耳片７ｃが突設され、ディスク内周側の両側部に、前記パッド受け面４ｋ，４ｋにそれぞれ当接する当接面７ｄ，７ｄが形成されている。ディスク回出側の当接面７ｄのディスク回出側には、ディスク内周側に突出し、前記第２トルク受け面４ｍに対向するトルク伝達面７ｅが形成されている。ピストン１０と対向する前記裏板７ｂの背面には、パッドホールドスプリング１４をかしめて固着するかしめ用突部７ｆが形成されている。かしめ用突部７ｆは、裏板７ｂのディスク半径方向中央部で、且つ、ピストン中心軸と対応する位置Ｃ１よりも、図７に示す寸法Ｌ１だけディスク回入側に設けられると共に、三角形状に形成され、ディスク半径方向内外に２つの頂点が並び、該２つの頂点よりもディスク回入側に１つの頂点が配置される。
【００２４】
反作用部側の摩擦パッド８の裏板８ｂは、ディスク回出側とディスク回入側に耳片８ｃ，８ｄが突設されている。反力爪３ｒ，３ｒに対向する裏板８ｂの背面には、中央部に設けられるかしめ用突起８ｅと、ディスク回出側とディスク回入側に設けられる突起８ｆ，８ｆとがディスク周方向に一直線上に突設され、かしめ用突起８ｅをかしめることで、パッドスプリング１５が固着され、ディスク回出側とディスク回入側の突起８ｆ，８ｆは、反力爪３ｒ，３ｒに形成した貫通孔３ｓ，３ｓにそれぞれ挿入される。
【００２５】
パッドホールドスプリング１４は、薄い金属板を折曲して形成され、前記かしめ用突部７ｆをかしめることで固着される取付基部１４ａと、該取付基部１４ａからＴ字状に突出する同一長さで、同一形状の第１爪片１４ｂ，１４ｂと第２爪片１４ｃとを備え、第１爪片１４ｂ，１４ｂは、取付基部１４ａからディスク半径方向外側と内側とに、第２爪片１４ｃは、ディスク回入側にそれぞれ突出し、第２爪片１４ｃと各第１爪片１４ｂ，１４ｂとはそれぞれ直交する。さらに、第１爪片１４ｂ，１４ｂと第２爪片１４ｃの先端側は、それぞれピストン内周壁に向けて漸次拡開しながらピストン底部側に延出し、先端側にピストン内周壁に当接する係合部１４ｄがそれぞれ形成され、該係合部１４ｄよりも先端部は先細り形状に形成され、内側に向けて折曲されている。取付基部１４ａは、円形状に形成され、中央部に前記かしめ用突部７ｆに嵌着可能な三角形状のかしめ用穴部１４ｅが穿設され、該かしめ用穴部１４ｅは、三角形の頂点が、それぞれ第１爪片１４ｂ，１４ｂ及び第２爪片１４ｃの方向を向くように形成されている。そして、このように形成されたパッドホールドスプリング１４は、図７に示されるように、かしめ用穴部１４ｅを含めて、補助線ＣＬ１に対して図７における上下方向に対称形状となっている。
【００２６】
パッドスプリング１５は、薄い金属板を折曲して形成され、前記かしめ用突起８ｅに固着される基部１５ａと、該基部１５ａの両側からディスク回入側とディスク回出側とに同一長さで一直線状に突出する一対の組付け片１５ｂ，１５ｂと、各組付け片１５ｂ，１５ｂの先端に設けられ、ディスク半径方向外側に突出する弾発片１５ｃ，１５ｃとを備え、弾発片１５ｃ，１５ｃ近傍の組付け片１５ｂ，１５ｂのディスク半径方向外側には、切込部１５ｄ，１５ｄがそれぞれ形成されている。各組付け片１５ｂ，１５ｂは、基部１５ａから漸次反ディスクロータ側に傾斜しながらそれぞれ突出し、先端側をディスクロータ側に折曲して、反力爪３ｒ，３ｒに形成した凹部３ｔ，３ｔの底面３ｕ，３ｕに弾接する弾接部１５ｅ，１５ｅが形成され、弾接部１５ｅ，１５ｅよりも先端側は反ディスクロータ側に僅かに折曲されている。また、前記凹部３ｔ，３ｔのディスク半径方向外側面３ｖ，３ｖに当接する弾発片１５ｃ，１５ｃの先端部１５ｆ，１５ｆは、反ディスクロータ側に曲面状に折り返されている。さらに、基部１５ａには、摩擦パッド８に設けた前記かしめ用突起８ｅに取り付けられるかしめ用穴部１５ｇが穿設されている。
【００２７】
各反力爪３ｒに形成した凹部３ｔは、キャリパボディ３を鋳造する際に鋳造型によって一体に形成されるもので、前記弾接部１５ｅ，１５ｅが弾接する底面３ｕと、前記弾発片１５ｃの先端部１５ｆが弾接する前記ディスク半径方向外側面３ｖとを備え、該ディスク半径方向外側面３ｖと前記底面３ｕとを接続する角部３ｗは曲面状に形成され、該角部３ｗの曲率よりも、前記パッドスプリング１５の先端部１５ｆの曲率が小さくなるように、すなわち、図１３に示すように、角部３ｗの半径ＣＵ１よりもパッドスプリング１５の先端部１５ｆの半径ＣＵ２が大きくなるように形成されている。さらに、各反力爪３ｒに形成される貫通孔３ｓの内径は、摩擦パッド８の突起８ｆ，８ｆの外径よりも大径に形成され、突起８ｆ，８ｆの外周面と貫通孔３ｓ，３ｓの内周面との間には所定の隙間が形成されている。
【００２８】
このように形成されたディスクブレーキ１の組み付けは、まず、パッドホールドスプリング１４を、作用部側の摩擦パッド７の裏板７ｂに設けたかしめ用突部７ｆに、第１爪片１４ｂ，１４ｂをディスク半径方向内外に、第２爪片１４ｃをディスク回入側にそれぞれ向けた状態で取り付けて、かしめ用突部７ｆをかしめ、前記裏板７ｂにパッドホールドスプリング１４を固着する。次いで、キャリパボディ３のシリンダ孔３ｉに内挿されたピストン１０の開口側からピストン１０の内側に、パッドホールドスプリング１４の第１爪片１４ｂ，１４ｂと第２爪片１４ｃとを挿入する。第１爪片１４ｂ，１４ｂと第２爪片１４ｃとは、開口側円錐面１０ｂと底部側円錐面１０ｃとに沿って撓みながらピストン内に挿入され、各係合部１４ｄが、環状突部１０ａを乗り越えて環状突部１０ａのピストン底部側にそれぞれ係合する。これにより、ピストン１０と作用部側の摩擦パッド７とがパッドホールドスプリング１４を介して連結される。
【００２９】
さらに、パッドスプリング１５のかしめ用穴部１５ｇに、反作用部側の摩擦パッド８の裏板８ｂに形成した中央のかしめ用突起８ｅを挿通してかしめ、裏板８ｂにパッドスプリング１５を固着する。そして、摩擦パッド８を反力爪３ｒ，３ｒのディスクロータ側に、パッドスプリング１５の組付け片１５ｂ，１５ｂと弾発片１５ｃ，１５ｃとを反力爪３ｒ，３ｒの反ディスクロータ側に配置し、摩擦パッド８と共にパッドスプリング１５を反力爪３ｒ，３ｒのディスク内周側先端からディスク外周側に挿入する。パッドスプリング１５は、先端部１５ｆ，１５ｆにガイドされ、組付け片１５ｂ，１５ｂを変形させながら、弾発片１５ｃ，１５ｃと組付け片１５ｂ，１５ｂの先端側とが凹部３ｔ，３ｔに挿入される。この挿入により、弾発部１５ｅ，１５ｅが底面３ｕ，３ｕに弾接すると共に、ディスク回入側とディスク回出側の突起８ｆ，８ｆが反力爪３ｒ，３ｒに形成した貫通孔３ｓ，３ｓに挿通され、先端部１５ｆ，１５ｆがディスク半径方向外側面３ｖ，３ｖに弾接することにより、突起８ｆ，８ｆのディスク半径方向内側と、貫通孔３ｓ，３ｓのディスク半径方向内側とが当接し、この当接部が摩擦パッド８のディスク半径方向内側を支持する支持部Ｐ１，Ｐ１となる。これにより、摩擦パッド８が反力爪３ｒ，３ｒ側に引き寄せられ、反作用部側の摩擦パッド８がパッドスプリング１５を介して反力爪３ｒ，３ｒに連結される。
【００３０】
次に、キャリパブラケット４に設けたスライドピン取付部４ｃの雌ねじ孔４ｈに、第２スライドピン６を螺着し、第２スライドピン６を反ディスクロータ側に突出させ、さらに、キャリパ支持腕４ｂのピン挿通孔４ｄに第１スライドピン５を挿通し、第１スライドピン５の基端側をピン挿通孔４ｄの開口端から反ディスクロータ側に突出させる。反ディスクロータ側に突出した第２スライドピン６の軸部を、キャリパボディ３のディスク回入側のピン支持腕３ｄに設けたピン挿通孔３ｈに挿通し、第２スライドピン６を支点に、キャリパボディ３を回動させて、摩擦パッド７，８をディスクロータ２の両側に配置し、作用部側の摩擦パッド７の当接面７ｄ，７ｄをパッド受け面４ｋ，４ｋにそれぞれ当接させると共に、耳片７ｃを第１トルク受け面４ｅに、トルク伝達面７ｅを第２トルク受け面４ｍにそれぞれ対向させ、反作用部側の摩擦パッド８のディスク回出側の耳片８ｃを第３トルク受け面４ｆに対向させる。
【００３１】
このとき、ディスク半径方向における第２スライドピン６の位置は、第１トルク受け面４ｅと、第２トルク受け面４ｍとの間で、且つ、ディスクロータ２の外周縁よりもディスク内周側に配置され、さらに、第３トルク受け面４ｆのディスク半径方向における位置は、第２スライドピン６よりもディスク半径方向外側に配置されると共に、第１スライドピン５は、ディスクロータ２の外周縁よりもディスク外周側に配置されることから、キャリパボディ３と共に摩擦パッド７，８を良好に回動させることができる。これにより、作用部側の摩擦パッド７の耳片７ｃを第１トルク受け面４ｅに、トルク伝達面７ｅを第２トルク受け面４ｍに、反作用部側の摩擦パッド８のディスク回出側の耳片８ｃを第３トルク受け面４ｆにそれぞれ確実に対向させることができる。さらに、第１トルク受け面４ｅと第３トルク受け面４ｆのディスク半径方向外側には、外側が第１スライドピン５側に傾斜するガイド面４ｇが形成されていることから、該ガイド面４ｇによって、摩擦パッド７，８の耳片７ｃ，８ｃを、第１トルク受け面４ｅと第３トルク受け面４ｆとに良好にガイドすることができる。
【００３２】
そして最後に、キャリパボディ３のディスク回出側のピン支持腕３ｅに設けたボルト孔３ｆに取付ボルト９を挿通し、該取付ボルト９をピン挿通孔４ｄから突出した第１スライドピン５の基端部に螺着する。これにより、キャリパボディ３が第１スライドピン５及び第２スライドピン６を介して、キャリパブラケット４にディスク軸方向に移動可能に取り付けられる。
【００３３】
また、摩擦パッド７，８を交換する際には、図３及び図４に示すように、ピン支持腕３ｅから取付ボルト９を取り外し、第１スライドピン５をピン支持腕３ｅから外した状態で、キャリパボディ３を第２スライドピン６を中心にディスク外側となる矢印Ｂ方向に回動させる。キャリパボディ３は、摩擦パッド７，８が、パッドホールドスプリング１４とパッドスプリング１５とを介して、一体的に組み付けられると共に、ディスク半径方向における第２スライドピン６の位置は、第１トルク受け面４ｅと、第２トルク受け面４ｍとの間で、且つ、ディスクロータ２の外周縁よりもディスク内周側に配置され、さらに、第３トルク受け面４ｆのディスク半径方向における位置は、第２スライドピン６よりもディスク半径方向外側に配置されると共に、第１スライドピン５は、ディスクロータ２の外周縁よりもディスク外周側に配置されることから、摩擦パッド７，８と、キャリパブラケット４とが干渉することなく、キャリパボディ３のブリッジ部３ｃがディスクロータ２の外周縁に当接するまで回動させると、作用部側の摩擦パッド７を、ディスクロータ２の外周縁よりもディスク半径方向外側に位置する状態までキャリパボディ３と一体に回動させることができると共に、反作用部側の摩擦パッド８の耳片８ｄの一部を除いた部分が、ディスクロータ２の外周縁よりもディスク半径方向外側に位置した状態とすることができる。ここで、ディスクロータ回入側の耳片８ｄには、ライニング８ａが取り付けられていないことから、ディスク軸方向のスペースを充分に確保可能であることから、ディスク回入側の耳片８ｄの一部がディスクロータ２に重なっていても、摩擦パッド８を簡単に交換することができる。さらに、キャリパボディ３をディスクロータ２の外周縁に当接するまで回動させた状態で、作用部側の摩擦パッド７にパッドホールドスプリング１４が取り付けられていても、摩擦パッド７の裏板７ｂがディスクロータ２とディスク軸方向で干渉しないことから、摩擦パッド７を摩擦パッド８側にディスク軸方向に移動させることで、摩擦パッド７を取り外すことができ、簡単に交換することができる。また、キャリパボディ３の開口側を図３及び図４において上方に向け、キャリパボディ３の開口側に作業スペースを確保した状態とすることができるので、ディスクロータ２に干渉させることなく摩擦パッド７，８を着脱させることができ、摩擦パッド７，８を簡単に交換することができる。
【００３４】
このように組み付けられたディスクブレーキ１では、車両前進時における制動時に、昇圧された作動液が液圧室１３へ供給されると、ピストン１０がピストンシール１２を変形させながらシリンダ開口方向へ移動し、作用部３ａ側の摩擦パッド７をディスクロータ２側に押動し、摩擦パッド７のライニング７ａをディスクロータ２の一側面へ押圧する。この反力によって、キャリパボディ３が第１スライドピン５と第２スライドピン６との案内で作用部３ａ方向へ移動し、反力爪３ｒ，３ｒと一体的に反作用部側の摩擦パッド８がディスクロータ２側にスライドし、摩擦パッド８のライニング８ａをディスクロータ２の他側面へ押圧する。このとき、作用部側の摩擦パッド７は、耳片７ｃが第１トルク受け面４ｅに圧接し、反作用部側の摩擦パッド８は、耳片８ｃが第３トルク受け面４ｆに圧接することにより、前進時における制動時の制動トルクを第１トルク受け面４ｅと第３トルク受け面４ｆとで良好に受けることができる。
【００３５】
また、車両後退時における制動時には、車両前進時と同様に、昇圧された作動液が液圧室１３へ供給されることにより、作用部３ａ側の摩擦パッド７のライニング７ａをディスクロータ２の一側面へ、反作用部側の摩擦パッド８のライニング８ａをディスクロータ２の他側面へそれぞれ押圧する。このとき、作用部側の摩擦パッド７は、トルク伝達面７ｅが第２トルク受け面４ｍに当接し、反作用部側の摩擦パッド８は、突起８ｆ，８ｆが貫通孔３ｓ，３ｓのディスク回入側内周面に当接することにより、後退時における制動時の制動トルクを第２トルク受け面４ｍと貫通孔３ｓ，３ｓとで良好に受けることができる。
【００３６】
さらに、制動解除時には、ピストン１０がピストンシール１２の復元力でシリンダ孔３ｉの底部方向へ後退し、これに伴って、パッドホールドスプリング１４の第１爪片１４ｂ，１４ｂ及び第２爪片１４ｃを介してピストン１０に連結された作用部側の摩擦パッド７が、ディスクロータ２の一側面から強制的に引き戻される。また、反作用部側の摩擦パッド８は、パッドスプリング１５によって、反力爪３ｒ，３ｒと一体的に反ディスクロータ側にスライドし、ディスクロータ２の他側面から強制的に引き戻される。
【００３７】
本形態例は上述のように形成されており、作用部側の摩擦パッド７は、パッドホールドスプリング１４の第２爪片１４ｃによって、常にディスク回出側に押圧され、耳片７ｃが第１トルク受け面４ｅに押し付けられた状態となっていることから、車両走行時等に、摩擦パッド７がガタ付くことを防止でき、さらに、パッドホールドスプリング１４は、ピストン中心軸と対応する位置Ｃ１よりもディスク回入側で裏板７ｂに固着されていることから、第１爪片１４ｂ，１４ｂと第２爪片１４ｃとを同一長さで、同一形状に形成しながらも、第２爪片１４ｃによって摩擦パッド７のディスク回出側に押圧する反力を大きくすることができる。また、第１爪片１４ｂ，１４ｂは、取付基部１４ａから、ディスク半径方向外側と内側とにそれぞれ突出することから、摩擦パッド７に作用する力が、ディスク半径方向内外に均等に作用し、制動解除時に、摩擦パッド７を良好に引き戻すことができ、摩擦パッド７の引き摺りを防止することができる。
【００３８】
さらに、かしめ用突部７ｆの形状を、三角形状に形成し、三角形の頂点が、それぞれ第１爪片１４ｂ，１４ｂ及び第２爪片１４ｃの方向を向くように形成すると共に、かしめ用穴部１４ｅの形状を、かしめ用突部７ｆに嵌着可能な三角形状に形成し、三角形の頂点が、それぞれ第１爪片１４ｂ，１４ｂ及び第２爪片１４ｃの方向を向くように形成したことにより、パッドホールドスプリング１４を裏板に固着する際に、第１爪片１４ｂ，１４ｂと第２爪片１４ｃの位置決めを行うことができ、組み付け性の向上を図ることができる。また、第２爪片１４ｃをディスク回入側に配置するパッドホールドスプリング１４でありながら、第１爪片１４ｂ，１４ｂと第２爪片１４ｃとを同一長さで、同一形状に、且つ第２爪片１４ｃと第１爪片１４ｂ，１４ｂとはそれぞれ直交するように形成されていることによって、車両の左右に設けられるディスクブレーキに共用可能となる。さらに、かしめ用穴部１４ｅを前述した形状にすると共に頂点を上述のように配置にし、摩擦パッド７のかしめ用突部７ｆをかしめ用穴部１４ｅに対応する形状にすることによって、かしめ用突部７ｆにかしめ用穴部１４ｅを挿入する際、第２爪片１４ｃの向きが指定されるので、誤った向きでかしめてしまうことも防止できる。また、第１爪片１４ｂ，１４ｂと第２爪片１４ｃとは、各係合部１４ｄが、開口側円錐面８ｂと底部側円錐面８ｃとにより環状突部８ａを良好に乗り越えることができるので、パッドホールドスプリング１４とピストン８とを簡単に係脱させることができる。
【００３９】
一方、反作用部側の摩擦パッド８は、パッドスプリング１５に設けられた弾発片１５ｃ，１５ｃの先端部１５ｆ，１５ｆが、反力爪３ｒ，３ｒに形成した凹部３ｔ，３ｔのディスク半径方向外側面３ｖ，３ｖにそれぞれ弾接していることから、摩擦パッド８を安定した状態で支持部Ｐ１，Ｐ１に押し付け、摩擦パッド８のガタ付きを防止することができる。また、パッドスプリング１５は、弾発片１５ｃ，１５ｃ近傍の組付け片１５ｂ，１５ｂのディスク半径方向外側に切込部１５ｄ，１５ｄを設けたことにより、弾発片１５ｃ，１５ｃの長さを長くすることができ、弾発片１５ｃ，１５ｃの組付け片１５ｂ，１５ｂから突出する部分の長さが短くても弾発力の大きさを確保することができる。
【００４０】
また、パッドスプリング１５の組付け片１５ｂ，１５ｂの先端側を、反力爪３ｒの凹部３ｔに収容させたことにより、パッドスプリング１５が反力爪３ｒよりも反ディスクロータ側に突出することがない。さらに、パッドスプリング１５を組み付ける際には、弾発片１５ｃの先端部１５ｆが反力爪３ｒに対する挿入ガイドの役割を果たし、組み付け性の向上を図ることができる。また、反力爪３ｒに形成した凹部３ｔのディスク半径方向外側面３ｖと底面３ｕとの角部３ｗと、弾発片１５ｃの先端部１５ｆとをそれぞれ曲面状に形成すると共に、先端部１５ｆの曲率を角部３ｗの曲率よりも小さく形成することにより、先端部１５ｆをディスク半径方向外側面３ｖに確実に弾接させることができる。また、キャリパボディ３を鋳造によって形成する際に、反力爪３ｒに形成される凹部３ｔを、鋳造型によって形成することにより、凹部３ｔを容易に形成することができ、コストの低減化を図ることができる。
【００４１】
また、パッドスプリング１５は、組付け片１５ｂ，１５ｂを、基部１５ａの両側から、同一長さで一直線状に突出させていることから、簡単に形成することができ、コストの低減化を図ることができると共に、車両の左側に設けられる左用のディスクブレーキと、車両の右側に設けられる右用のディスクブレーキの双方に共用することができる。さらに、摩擦パッド８も耳片８ｃ，８ｄが両側から突出していることから、左用のディスクブレーキと、右用のディスクブレーキの双方に共用することができる。
【００４２】
さらに、第１トルク受け面４ｅと、第２トルク受け面４ｍと、第３トルク受け面４ｆとをキャリパブラケット４に設けたことから、キャリパブラケット４で制動トルクを確実に受けることができる。また、第２スライドピン側にトルク受け面を形成しないことから、キャリパブラケット４の車体取付部となるボルト挿通孔４ｉから第２スライドピン６までの距離を短くすることができ、キャリパブラケット４の強度の向上と小型軽量化とを図ることができる。
【００４３】
さらに、第２スライドピン６は、ディスクロータ２の外周縁よりもディスク内周側に配置されており、キャリパボディ３は、第２スライドピン６を挿通するピン支持腕３ｄが、作用部３ａとブリッジ３ｃとが連続する連続部３ｇから、ディスク半径方向内側に傾斜して延出され、作用部３ａとブリッジ部３ｃの肉厚を利用してピン支持腕３ｄを形成することから、ピン支持腕３ｄを肉盛りしなくても剛性を確保でき、キャリパボディ３の軽量化を図ることができる。また、第２スライドピン６がディスクロータ２の外周縁よりもディスク内周側に配置されていることから、ピン支持腕３ｄがディスク半径方向外側に突出することがなく、キャリパボディ３の小型化を図ることができる。
【００４４】
図１５乃至図１８は、他の形状のパッドスプリングを使用したディスクブレーキで、第１形態例と同様の構成要素を示すものには、同一の符号を付して、その詳細な説明は省略する。
【００４５】
このパッドスプリング１６は、薄い金属板を折曲して形成され、前記かしめ用突起８ｅに固着される基部１６ａと、第１組付け片１６ｂと第２組付け片１６ｃとを備え、該第１組付け片１６ｂと第２組付け片１６ｃとは、基部１６ａの中心を通るディスク径方向線に対して左右対称形状に形成され、基部１６ａの両側から、同一長さで一直線状に突出している。第１組付け片１６ｂは、基部１６ａから漸次反ディスクロータ側に傾斜しながらディスク回出側に突出し、先端側をディスクロータ側に折曲して、反力爪３ｒに形成した凹部３ｔの底面に弾接する弾接部１６ｄを備え、該弾接部１６ｄより先端側の先端部１６ｅ（ディスク回出側端部）を反ディスクロータ側に円弧状に折曲している。第２組付け片１６ｃは、基部１６ａから漸次反ディスクロータ側に傾斜しながらディスクロータ回入側に突出し、先端側をディスクロータ側に折曲して、反力爪３ｒに形成した凹部３ｔの底面に弾接する弾接部１６ｆを備え、該弾接部１６ｆより先端側の先端部１６ｇ（ディスク回入側端部）を反ディスクロータ側に円弧状に折曲している。さらに、第１組付け片１６ｂの弾接部１６ｄのディスク外周側と、第２組付け片１６ｃの弾接部１６ｆのディスク外周側とには、ディスク外周側に突出する弾発片１６ｈ，１６ｈが形成され、該弾発片１６ｈ，１６ｈのディスク外周側先端部１６ｉ，１６ｉが前記凹部３ｔ，３ｔのディスク半径方向外側面３ｖ，３ｖに当接する。また、基部１６ａには、摩擦パッド８に設けた前記かしめ用突起８ｅに取り付けられるかしめ用穴部１６ｊが穿設されている。
【００４６】
ディスク回出側の反力爪３ｒに形成した凹部３ｔは、前記ディスク外周側先端部１６ｉが当接する前記ディスク半径方向外側面３ｖと、該ディスク半径方向外側面３ｖと直交するディスク回出側面３ｘとを備え、該ディスク回出側面３ｘには、第１組付け片１６ｂの先端部１６ｅとの当接を避ける逃げ部Ｅ１（空隙部）が設けられている。一方、ディスク回入側の反力爪３ｒに形成した凹部３ｔは、前記ディスク外周側先端部１６ｉが当接する前記ディスク半径方向外側面３ｖと、該ディスク半径方向外側面３ｖと直交し第２組付け片１６ｃの先端部１６ｇが当接するディスク回入側面３ｙ（当接部）とを備えている。
【００４７】
パッドスプリング１６は、キャリパブラケット４にキャリパボディ３を組み付けることにより、パッドスプリング１６の先端部１６ｇが凹部３ｔのディスク回入側面３ｙに弾接し、この反力により摩擦パッド８がディスク回出側に押圧され、反作用部側の摩擦パッド８の耳片８ｃと第３トルク受け面４ｆとが当接し、これにより、摩擦パッド８のガタ付きを抑制することができる。
【００４８】
また、パッドスプリング１６は、第１組付け片１６ｂと第２組付け片１６ｃとを、基部１６ａの中心を通るディスク径方向線に対して対称形状に形成すると共に、基部１６ａの両側から、同一長さで一直線状に突出させ、一方、反力爪３ｒ側には、第１組付け片１６ｂの先端部１６ｅとの当接を避ける逃げ部Ｅ１を形成するだけで良いことから、簡単に形成することができる。さらに、パッドスプリング１６は、車両の左側に設けられる左用のディスクブレーキと、車両の右側に設けられる右用のディスクブレーキの双方に共用することができる。さらに摩擦パッド８も、耳片８ｃ，８ｄが両側から突出していることから、パッドスプリング１６を装着した摩擦パッド８を左用のディスクブレーキと、右用のディスクブレーキの双方に共用することができる。
【００４９】
尚、本発明は上述の形態例のように、ディスク回入側に第２スライドピンを設け、キャリパブラケットのディスク回出側に第１トルク受け面と第２トルク受け面とを配置した構造に限るものではなく、ディスク回出側に第２スライドピンを設け、キャリパブラケットのディスク回入側に第１トルク受け面と第２トルク受け面とを配置する構造でも差し支えない。また、車両後退時に反作用部側の摩擦パッドからトルクを受けるトルク受け面をキャリパブラケットに形成することもできる。さらに、パッドホールドスプリングの構造は、上述の形態例に限るものではなく、作用部側の摩擦パッドとピストンとを着脱可能に連結できるものであれば、どのような構造であっても差し支えない。また、パッドスプリングの形状も任意であり、さらに、パッドスプリングで反作用部側の摩擦パッドと反力爪とを連結していなくても良く、摩擦パッドの形状やピストンの数も任意である。
【符号の説明】
【００５０】
１…車両用ディスクブレーキ、２…ディスクロータ、３…キャリパボディ、３ａ…作用部、３ｂ…反作用部、３ｃ…ブリッジ部、３ｄ，３ｅ…ピン支持腕、３ｆ…ボルト孔、３ｇ…連続部、３ｈ…ピン挿通孔、３ｉ…シリンダ孔、３ｊ…ダストシール装着溝、３ｋ…ピストンシール装着溝、３ｍ…ユニオン孔、３ｎ…基部嵌着溝、３ｐ…蛇腹部収容部、３ｑ…間隙部、３ｒ…反力爪、３ｓ…貫通孔、３ｔ…凹部、３ｕ…底面、３ｖ…ディスク半径方向外側面、３ｗ…角部、４…キャリパブラケット、４ａ…本体部、４ｂ…キャリパ支持腕、４ｃ…スライドピン取付部、４ｄ…ピン挿通孔、４ｅ…第１トルク受け面、４ｆ…第３トルク受け面、４ｇ…ガイド面、４ｈ…雌ねじ孔、４ｉ…ボルト挿通孔、４ｋ…パッド受け面、４ｍ…第２トルク受け面、５…第１スライドピン、６…第２スライドピン、７，８…摩擦パッド、７ａ，８ａ…ライニング、７ｂ，８ｂ…裏板、７ｃ，８ｃ，８ｄ…耳片、７ｄ…当接面、７ｅ…トルク伝達面、７ｆ，８ｅ…かしめ用突起、８ｆ…突起、９…取付ボルト、１０…ピストン、１０ａ…環状突部、１０ｂ…開口側円錐面、１０ｃ…底部側円錐面、１０ｄ…先端部嵌着溝、１１…ダストシール、１２…ピストンシール、１３…液圧室、１４…パッドホールドスプリング、１４ａ…取付基部、１４ｂ…第１爪片、１４ｃ…第２爪片、１４ｄ…係合部、１４ｅ…かしめ用穴部、１５…パッドスプリング、１５ａ…基部、１５ｂ…組付け片、１５ｃ…弾発片、１５ｄ…切込部、１５ｅ…弾接部、１５ｆ…先端部、１５ｇ…かしめ用穴部、１６…パッドスプリング、１６ａ…基部、１６ｂ…第１組付け片、１６ｃ…第２組付け片、１６ｄ，１６ｆ…弾発部、１６ｅ，１６ｇ…先端部、１６ｈ…弾発片、１６ｉ…ディスク外周側先端部、１６ｊ…かしめ用穴部
【図１】
0005437947.tif 000002
【図２】
0005437947.tif 000003
【図３】
0005437947.tif 000004
【図４】
0005437947.tif 000005
【図５】
0005437947.tif 000006
【図６】
0005437947.tif 000007
【図７】
0005437947.tif 000008
【図８】
0005437947.tif 000009
【図９】
0005437947.tif 000010
【図１０】
0005437947.tif 000011
【図１１】
0005437947.tif 000012
【図１２】
0005437947.tif 000013
【図１３】
0005437947.tif 000014
【図１４】
0005437947.tif 000015
【図１５】
0005437947.tif 000016
【図１６】
0005437947.tif 000017
【図１７】
0005437947.tif 000018
【図１８】
0005437947.tif 000019